(57)【要約】      （修正有）【課題】腹部臓器および腕のマッサージを増進し、新陳代謝を促進することが可能な腹部用フィットネス機器を提供する。【解決手段】腹部用フィットネス機器は、ハウジング１、接続座、二つの桿状体３、当接部１７、および発振装置を備える。ハウジング１は、空洞部と、対称軸に対して両側に形成された溝通路１４とを有する。接続座は、空洞部の所定位置に装着される。二つの桿状体３は、接続ユニットによって接続座に連結された連結端と、連結端から離れる操作端３２と、操作端３２に位置するハンドル３３とを有する。二つの桿状体３は、溝通路１４を貫くように装着される。当接部１７は、ユーザーの腹部に当接するようにハウジング上の溝通路１４から離れる一側に配置される。発振装置は、ハウジング１内の所定位置に装着される。【選択図】図４
0003167182.tif 000002
【実用新案登録請求の範囲】
【請求項１】
空洞部と、対称軸に対して両側に形成された溝通路とを有するハウジングと、
前記空洞部に装着される接続座と、
前記溝通路に装着され、接続ユニットによって前記接続座に連結された連結端、前記連結端から離れる操作端、および前記操作端に位置するハンドルを有する二つの桿状体と、
前記ハウジング上の前記溝通路から離れる一側に配置される当接部と、
前記ハウジング内に装着される発振装置と、
を備えることを特徴とする腹部用フィットネス機器。
【請求項２】
前記ハウジングは、相互に合わさる第一殻体および第二殻体から構成され、
前記第一殻体は、表面に孔を有し、対称軸に対して両側に第一陥没溝を有し、
前記第二殻体は、対称軸に対して両側に第二陥没溝を有し、
前記第一陥没溝と前記第二陥没溝とは合わさり、前記溝通路を形成することを特徴とする請求項１に記載の腹部用フィットネス機器。
【請求項３】
前記接続座は、両側面から伸びて形成された遮断面を有し、
前記遮断面は、内側に連結ユニットを有し、前記連結ユニットと一緒に装着空間を形成し、
前記連結ユニットは、湾曲状態を呈し、中央が前記装着空間に突出し、両端が前記遮断面の側縁まで伸びて形成されたストッパーを有し、
前記接続ユニットは、第一接続ユニットおよび第二接続ユニットから構成され、
前記第一接続ユニットは、第一孔、および前記第一孔から離れる両側に軸孔を有する第一接続部を有し、
前記第二接続ユニットは、第二孔、および前記第二孔から離れる両側に軸孔を有する第二接続部を有し、
前記連結端は、前記第一孔および前記第二孔によって第一弾性ユニットの一端に連結され、
前記第一弾性ユニットは、他端が前記連結ユニットの前記ストッパーに装着され、
前記遮断面の軸孔、前記第一接続部の軸孔、および前記第二接続部の軸孔を貫通するシャフトを有することを特徴とする請求項１に記載の腹部用フィットネス機器。
【請求項４】
前記二つの桿状体の前記ハンドルは、グリップを有し、
前記二つの桿状体は、前記操作端から適切な間隔を置いて配列された複数の孔を有し、
前記グリップは、前記複数の孔のうちのいずれかの孔に装着されることを特徴とする請求項１に記載の腹部用フィットネス機器。
【請求項５】
前記発振装置は、前記接続座の一側に装着され、微動スイッチを有するスイッチ機構の制御によって起動するモーターを有し、
前記モーターの出力軸と本体とは偏心的に連結され、
前記微動スイッチは、レバーと前記微動スイッチに対応する二つのボタンを有し、
前記二つのボタンは、一端が前記レバーに当接し、前記ハウジング内に配置され、前記微動スイッチから離れる他端が前記当接部の内側に当接することを特徴とする請求項１に記載の腹部用フィットネス機器。
【請求項６】
前記二つのボタンは、前記一端に突出部を有し、
前記突出部と前記ハウジングとの間には、第二弾性ユニットを有することを特徴とする請求項５に記載の腹部用フィットネス機器。
【請求項７】
センサーおよび表示装置を有する計数器を備え、
前記センサーは、磁性感知器と、前記磁性感知器に対応する磁性ユニットとを有し、
前記磁性感知器は、前記溝通路に配置され、前記表示装置に電気的に接続され、前記二つの桿状体の開閉回数を検知し、
前記磁性ユニットは、前記連結端に配置され、
前記二つの桿状体は、前記磁性感知器が装着される溝通路を貫通し、
前記表示装置は、前記ハウジングの表面に装着され、前記二つの桿状体の開閉回数を表示することを特徴とする請求項１に記載の腹部用フィットネス機器。
【考案の詳細な説明】
【技術分野】
【０００１】
本考案は、腹部用フィットネス機器に関する。
【背景技術】
【０００２】
図８に示すように、従来の胸部および腹部用フィットネス器具は、腹部に当接する支持板８１と、支持板８１の外側に連結された二つのスウィング棒８２と、二つのスウィング棒８２の自由端に上に伸びるように形成されたグリップ８３と、二つのスウィング棒８２の間に装着された弾性ユニット８４とを備える。ユーザーは、支持板８１を腹部に固定して操作し、両手によってグリップ８３を握り、両腕によって二つのスウィング棒８２の連結端を中心にして二つのスウィング棒８２を開閉するように動かし、胸部および腹部のフィットネスを達成することができる。
【考案の概要】
【考案が解決しようとする課題】
【０００３】
ユーザーは、胸部および腹部用フィットネス器具を使用し、支持板８１を腹部に当て、スウィング棒８２の連結端を中心にしてスウィング棒８２を開閉することができるが、操作および作動は単調であり、操作回数を記録することができないため、単調で退屈になりやすい。また、弾性ユニット８４は酸化しやすく、長期にわたって使用されると弛緩現象が起こりやすい。
【０００４】
上述した問題を解決するため、本考案は、連結端を中心にして開閉可能な二つの桿状体、および、ユーザーの腹部に当接する当接部を備え、腹部臓器および腕のマッサージを増進し、新陳代謝を促進することが可能な腹部用フィットネス機器を提供することを第一の目的とする。
【０００５】
本考案は、フィットネスの楽しみを増進することが可能な腹部用フィットネス機器を提供することを第二の目的とする。
【０００６】
本考案は、構成が簡単で、コストを削減すること、および操作の便をはかることを可能にする腹部用フィットネス機器を提供することを第三の目的とする。
【課題を解決するための手段】
【０００７】
上述の目的を達成するため、本考案による腹部用フィットネス機器は、ハウジング、接続座、二つの桿状体、当接部および発振装置を備える。
ハウジングは、空洞部と、対称軸に対して両側に別々に形成された溝通路とを有する。
接続座は、ハウジングの空洞部の所定位置に装着される。
【０００８】
二つの桿状体は、接続ユニットによって接続座に連結された連結端と、連結端から離れる操作端と、操作端に位置するハンドルとを有する。二つの桿状体は、それぞれハウジングの対称軸に対して両側の溝通路を貫くように装着される。
当接部は、ユーザーの腹部に当接するようにハウジング上の両側の溝通路から離れる一側に配置される。
発振装置は、ハウジング内の所定位置に装着される。
【図面の簡単な説明】
【０００９】
【図１】本考案の一実施形態による腹部用フィットネス機器の外観を示す斜視図である。
【図２】本考案の一実施形態による腹部用フィットネス機器を示す分解斜視図である。
【図３】本考案の一実施形態による腹部用フィットネス機器を示す断面図である。
【図４】本考案の一実施形態による腹部用フィットネス機器を使用する際、当接部をユーザーの腹部に当接させる状態を示す模式図である。
【図５】本考案の一実施形態による腹部用フィットネス機器が使用された状態を示す断面図である。
【図６】本考案の一実施形態による腹部用フィットネス機器の二つの桿状体が開いた状態を示す断面図である。
【図７】本考案の一実施形態による腹部用フィットネス機器は二つの桿状体が開き、振動が発生した状態を示す断面図である。
【図８】従来の胸部および腹部用フィットネス器具の外観を示す斜視図である。
【考案を実施するための形態】
【００１０】
以下、本考案による腹部用フィットネス機器を図面に基づいて説明する。
図１から図７に示すように、本考案により提示された実施形態の構成は、説明にのみ用いられ、請求範囲を限定するものではない。
【００１１】
（一実施形態）
図１から図３に示すように、本考案の一実施形態による腹部用フィットネス機器は、ハウジング１、接続座２、二つの桿状体３、当接部１７、スイッチ機構４、発振装置５、計数器６、および給電機構７を備える。
【００１２】
ハウジング１は、相互に合わさる第一殻体１１および第二殻体１２と、第一殻体１１および第二殻体１２の間に形成された空洞部１３とを有する。第一殻体１１は、表面に孔１１１を有し、対称軸に対して両側に第一陥没溝１１２を有する。第二殻体１２は、対称軸に対して両側に第二陥没溝１２１を有する。第一陥没溝１１２と第二陥没溝１２１とは合わさり、溝通路１４を形成する。二つの溝通路１４から離れる第一殻体１１上の一側と第二殻体１２上の一側とは結合し、少なくとも一つの孔１５を形成する。
【００１３】
本実施形態において、第二殻体１２は、二つの溝通路１４から離れる一側に陥没溝１２２を有する。第一殻体１１は、第二殻体１２に対応する二つの陥没溝（図中未表示）を有する。第一殻体１１の陥没溝と第二殻体１２の陥没溝１２２とは結合し、孔１５を形成する。第一殻体１１および第二殻体１２は、内部に孔１５に対応する位置に複数のスティフナー１３１によって構成された固定部１６を有する。スティフナー１３１は、孔１５に対応する位置に溝部１３２を有する。
【００１４】
接続座２は、ハウジング１の空洞部１３の所定位置に装着され、両側面から伸びて形成された遮断面２１を有する。二つの遮断面２１は互いに対応する軸孔２１１を有し、内側に連結ユニット２２を有する。連結ユニット２２は、湾曲状態を呈し、中央が装着空間２３に突出し、両端が遮断面２１の側縁まで伸びて形成されたストッパー２２１を有する。遮断面２１と連結ユニット２２との間は装着空間２３を有する。
【００１５】
二つの桿状体３は、連結端３１と、連結端３１から離れる操作端３２と、操作端３２に位置するハンドル３３とを有する。ハンドル３３は、グリップ３３２を有する。桿状体３は、操作端３２から適切な間隔を置いて配列された複数の孔３３１を有する。孔３３１はグリップ３３２の装着に用いられるため、ユーザーの腕の長さによってグリップ３３２を位置が適切な孔３３１に装着することができる。二つの桿状体３の連結端３１は、それぞれ接続ユニットおよび第一弾性ユニット３６に連結される。
【００１６】
本実施形態において、接続ユニットは、第一接続ユニット３４および第二接続ユニット３５を有する。第一接続ユニット３４は、第一弾性ユニット３６の装着に用いられる第一孔３４１を有し、第二接続ユニット３５は、第一弾性ユニット３６の装着に用いられる第二孔３５１を有する。第一弾性ユニット３６は、第一接続ユニット３４および第二接続ユニット３５に装着された後、桿状体３に連結される。
【００１７】
第一接続ユニット３４は、第一孔３４１から離れる一側に第一接続部３４２を有し、第二接続ユニット３５は、第二孔３５１から離れる一側に第二接続部３５２を有する。第一接続部３４２は軸孔３４３を有し、第二接続部３５２は軸孔３５３を有する。第一接続部３４２の軸孔３４３と第二接続部３５２の軸孔３５３とは対応する。シャフト２４は、二つの遮断面２１の軸孔２１１、第一接続部３４２の軸孔３４３、および第二接続部３５２の軸孔３５３を貫通して連結する。二つの第一弾性ユニット３６は、他端が連結ユニット２２の両側のストッパー２２１に装着される。
【００１８】
二つの桿状体３は、連結端３１を中心にして所定角度を呈するように外向きに開き、ハウジング１の両側の溝通路１４を貫くように装着される。そのため、二つの桿状体３は、装着空間２３の外側に対し、同一平面において連結端３１を中心にして開閉することができる。ユーザーが二つの桿状体３を開ける際、二つの第一弾性ユニット３６は弾性変形を生じ、トレーニングするユーザーに抵抗力を提供することができる。ユーザーは二つの桿状体３を閉じる際、二つの第一弾性ユニット３６の弾性的な復元によって二つの桿状体３を簡単に復元運動させることができる。
【００１９】
当接部１７は、ユーザーの腹部に当接するようにハウジング１上の二つの溝通路１４から離れる一側に配置される。
スイッチ機構４は、ハウジング１の空洞部１３に装着され、微動スイッチ４１および微動スイッチ４１に対応するボタン４２を有する。本実施形態において、空洞部１３の両側の固定部１６は、微動スイッチ４１を有する。微動スイッチ４１は、周知の部品であるため、原理についての説明を省略する。微動スイッチ４１のレバー４１１は、孔１５の方向に対応するように配置される。
【００２０】
二つのボタン４２は、ハウジング１の空洞部１３内に配置され、一部がハウジング１の二つの孔１５に突出し、当接部１７の内側に当接する。ボタン４２は、当接部１７から離れる一端に突出部４２１を有し、突出部４２１は、溝部１３２に入り込み、微動スイッチ４１のレバー４１１に当接する。突出部４２１と固定部１６との間には、第二弾性ユニット４３を有する。第二弾性ユニット４３は、一端がボタン４２の内側に当接し、他端が固定部１６の一側のスティフナー１３１に当接する。
【００２１】
発振装置５は、空洞部１３内に配置され、接続座２の遮断面２１の一側に装着され、モーター５１を有する。モーター５１は、微動スイッチ４１の制御を受けて起動する。モーター５１の出力軸と本体５２とは偏心的に連結される。当接部１７はユーザーの腹部に当接すると両側のボタン４２を圧迫する。その際、二つのボタン４２の他端の二つの突出部４２１は、二つの微動スイッチ４１のレバー４１１を圧迫するため、微動スイッチ４１は起動し、モーター５１を駆動する。このとき、モーター５１は、出力軸を回転させることによって偏心的な移動を生じるため、図７に示すように接続座２およびハウジング１に発振効果を生じさせる。
【００２２】
計数器６は、センサー６１および表示装置６２を有する。本実施形態において、センサー６１は、少なくとも一つの磁性感知器６１１と、磁性感知器６１１に対応する磁性ユニット６１２とを有する。磁性感知器６１１は、ハウジング１の一つの溝通路１４の所定位置に配置され、表示装置６２に電気的に接続される。磁性ユニット６１２は、桿状体３の連結端３１に配置される。表示装置６２は、第一殻体１１の孔１１１に装着される。磁性ユニット６１２は、桿状体３のスウィングによって磁性感知器６１１を通過し、即ち桿状体３のスウィング回数を計算する。計算した回数を表示装置６２に表示することによって計数機能を果たすことができる。
【００２３】
本実施形態において、給電機構７は、ハウジング１の空洞部１３の所定位置に配置され、発振装置５および計数器６に必要な電力を供給することができるバッテリー７１である。
【００２４】
本考案による腹部用フィットネス機器を使用する際、図４から図７に示すように、腹部用フィットネス機器の当接部１７をユーザーの腹部に当て、両手で二つのハンドル３３を握り、両腕で二つの桿状体３を操作し、連結端３１を中心にして桿状体３を開閉することができる。力を入れると、腹部用フィットネス機器は、腹部に圧迫力を生成し、胸部および腹部のトレーニング効果を同時に達成し、当接部１７およびボタン４２を圧迫する。このとき二つのボタン４２の突出部４２１は微動スイッチ４１のレバー４１１を圧迫し、発振装置５を起動するため、図７に示すようにハウジング１および二つの桿状体３は発振し、腹部および腕に発振効果を生じることができる。
【００２５】
本考案による腹部用フィットネス機器を使用する際、胸部および腹部のトレーニング効果を同時に達成することができるだけでなく、当接部１７が圧迫されてスイッチ機構４を起動し、発振装置５を駆動することによってハウジング１および二つの桿状体３を発振させる。発振効果によって腹部臓器および腕のマッサージ効果を増進し、新陳代謝を促進し、フィットネスの楽しみを増加させ、単調で退屈になるという現象を解消することができる。また本考案は、構成、製造およびメンテナンスを単純にし、コストを削減し、操作の便をはかることができるため、利便性および実用性を有する。
【符号の説明】
【００２６】
１      ・・・ハウジング、
１１    ・・・第一殻体、
１１１  ・・・孔、
１１２  ・・・第一陥没溝、
１２    ・・・第二殻体、
１２１  ・・・第二陥没溝、
１２２  ・・・陥没溝、
１３    ・・・空洞部、
１３１  ・・・スティフナー、
１３２  ・・・溝部、
１４    ・・・溝通路、
１５    ・・・孔、
１６    ・・・固定部、
１７    ・・・当接部、
２      ・・・接続座、
２１    ・・・遮断面、
２１１  ・・・軸孔、
２２    ・・・連結ユニット、
２２１  ・・・ストッパー、
２３    ・・・装着空間、
２４    ・・・シャフト、
３      ・・・桿状体、
３１    ・・・連結端、
３２    ・・・操作端、
３３    ・・・ハンドル、
３３１  ・・・孔、
３３２  ・・・グリップ、
３４    ・・・第一接続ユニット、
３４１  ・・・第一孔、
３４２  ・・・第一接続部、
３４３  ・・・軸孔、
３５    ・・・第二接続ユニット、
３５１  ・・・第二孔、
３５２  ・・・第二接続部、
３５３  ・・・軸孔、
３６    ・・・第一弾性ユニット、
４      ・・・スイッチ機構、
４１    ・・・微動スイッチ、
４１１  ・・・レバー、
４２    ・・・ボタン、
４３    ・・・第二弾性ユニット、
５      ・・・発振装置、
５１    ・・・モーター、
５２    ・・・本体、
６      ・・・計数器、
６１    ・・・センサー、
６１１  ・・・磁性感知器、
６１２  ・・・磁性ユニット、
６２    ・・・表示装置、
７      ・・・給電機構、
７１    ・・・バッテリー、
８１    ・・・支持板、
８２    ・・・スウィング棒、
８３    ・・・グリップ、
８４    ・・・弾性ユニット。
【図１】
0003167182.tif 000003
【図２】
0003167182.tif 000004
【図３】
0003167182.tif 000005
【図４】
0003167182.tif 000006
【図５】
0003167182.tif 000007
【図６】
0003167182.tif 000008
【図７】
0003167182.tif 000009
【図８】
0003167182.tif 000010